(57)【特許請求の範囲】
【請求項１】
互いに対向する前胴周り域および後胴周り域と、それら胴周り域の間に位置する股下域とを備え、胴周り開口とその下方に一対の脚周り開口とを有するおむつの外面に、該おむつを丸めておくことが可能な可撓性のテープファスナーが取り付けられたパンツ型の使い捨ておむつにおいて、
前記テープファスナーが、前記おむつの外面を縦方向へ延びるガイドテープと、前記ガイドテープの外面を前記縦方向へ延びていて該縦方向へ進退可能なスライドテープとから形成され、
前記ガイドテープが、前記おむつの外面に固着された上端部および下端部と、前記上下端部の間に位置して前記おむつに非固着の中間部とを有し、前記スライドテープが、前記ガイドテープに対向する内面に止着手段を備えた自由端部と、前記自由端部の下方に位置して前記ガイドテープの中間部に前記縦方向へ摺動可能に取り付けられた繋止端部とを有することを特徴とする前記おむつ。
【請求項２】
前記スライドテープが、前記繋止端部の両側縁から前記おむつの胴周り方向へ延びる側部を有し、それら側部どうしが、前記ガイドテープの内面の側に折曲された状態で互いに固着されている請求項１記載のおむつ。
【請求項３】
前記スライドテープの自由端部が、前記止着手段を介して前記ガイドテープの外面に剥離可能に仮着されている請求項１または請求項２に記載のおむつ。
【請求項４】
前記ガイドテープの中間部の前記縦方向の長さ寸法が、３０〜１００ｍｍの範囲、前記スライドテープの前記縦方向の長さ寸法が、３０〜１００ｍｍの範囲にあり、前記スライドテープでは、前記繋止端部が前記ガイドテープの上端部の側へ移動したときに、前記自由端部が前記胴周り開口の端部の外側に位置することが可能である請求項１ないし請求項２いずれかに記載のおむつ。
【請求項５】
前記おむつが、肌当接側に位置する透液性表面シートと、肌非当接側に位置する不透液性裏面シートと、それらシートの間に介在する吸液性コアとから構成され、前記テープファスナーが、前記裏面シートの外面に取り付けられている請求項１ないし請求項４いずれかに記載のおむつ。
【請求項６】
前記止着手段が、前記スライドテープに塗布された粘着剤と前記スライドテープに取り付けられたフック部材とのいずれか一方である請求項１ないし請求項５いずれかに記載おむつ。
【発明の詳細な説明】
【０００１】
【発明の属する技術分野】
本発明は、使用後に丸めて廃棄するためのテープファスナーが取り付けられたパンツ型の使い捨ておむつに関する。
【０００２】
【従来の技術】
実開平６−７７７２２号公報は、肌当接側に位置する透液性表面シートと、肌非当接側に位置する不透液性裏面シートと、それらシートの間に介在する吸液性コアとから構成され、互いに対向する前胴周り域および後胴周り域と、それら胴周り域の間に位置する股下域とを備え、胴周り開口とその下方に一対の脚周り開口とを有し、後胴周り域における裏面シートの外面に汚れたおむつを丸めておくことが可能な縦方向へ延びるテープファスナーが取り付けられたパンツ型の使い捨ておむつを開示している。テープファスナーは、縦方向へ長い矩形を呈し、縦方向の長さ寸法を小さくするため、断面Ｚ字型に折り畳まれている。テープファスナーでは、互いに重なり合う部分に粘着剤が塗布され、粘着剤を介してその折り畳まれた状態が保持されている。
【０００３】
このおむつは、その廃棄時に、前胴周り域を内側にして股下域から胴周り開口の端部へ向かって縦方向へ丸められる。このおむつでは、それが丸められた後に、折り畳まれたテープファスナーを折り返して縦方向へ直状に引き延ばし、粘着剤を介してテープファスナーを裏面シートの外面に止着する。おむつでは、テープファスナーによってその丸められた状態が保持される。
【０００４】
【発明が解決しようとする課題】
前記公報に開示のおむつは、それを丸めて廃棄するときに、断面Ｚ字型に折り畳まれたテープファスナーを折り返して縦方向へ直状に引き延ばさなければならず、その分手間を要する。また、このおむつでは、テープファスナーの互いに重なり合う部分における剥離強度が高いと、テープファスナーを円滑に折り返すことができない場合がある。
【０００５】
本発明の課題は、テープファスナーを折り返すことなく縦方向へ延ばすことができるパンツ型の使い捨ておむつを提供することにある。
【０００６】
【課題を解決するための手段】
前記課題を解決するための本発明の前提は、互いに対向する前胴周り域および後胴周り域と、それら胴周り域の間に位置する股下域とを備え、胴周り開口とその下方に一対の脚周り開口とを有するおむつの外面に、該おむつを丸めておくことが可能な可撓性のテープファスナーが取り付けられたパンツ型の使い捨ておむつである。
【０００７】
前記前提における本発明の特徴は、前記テープファスナーが、前記おむつの外面を縦方向へ延びるガイドテープと、前記ガイドテープの外面を前記縦方向へ延びていて該縦方向へ進退可能なスライドテープとから形成され、前記ガイドテープが、前記おむつの外面に固着された上端部および下端部と、前記上下端部の間に位置して前記おむつに非固着の中間部とを有し、前記スライドテープが、前記ガイドテープに対向する内面に止着手段を備えた自由端部と、前記自由端部の下方に位置して前記ガイドテープの中間部に前記縦方向へ摺動可能に取り付けられた繋止端部とを有することにある。
【０００８】
本発明の実施の態様の一例としては、前記スライドテープが前記繋止端部の両側縁から前記おむつの胴周り方向へ延びる側部を有し、それら側部どうしが前記ガイドテープの内面の側に折曲された状態で互いに固着されている。
【０００９】
本発明の実施の態様の他の一例としては、前記スライドテープの自由端部が前記止着手段を介して前記ガイドテープの外面に剥離可能に仮着されている。
【００１０】
本発明の実施の態様の他の一例としては、前記ガイドテープの中間部の前記縦方向の長さ寸法が３０〜１００ｍｍの範囲、前記スライドテープの前記縦方向の長さ寸法が３０〜１００ｍｍの範囲にあり、前記スライドテープでは、前記繋止端部が前記ガイドテープの上端部の側へ移動したときに、前記自由端部が前記胴周り開口の端部の外側に位置することが可能である。
【００１１】
本発明の実施の態様の他の一例としては、前記おむつが、肌当接側に位置する透液性表面シートと、肌非当接側に位置する不透液性裏面シートと、それらシートの間に介在する吸液性コアとから構成され、前記テープファスナーが、前記裏面シートの外面に取り付けられている。
【００１２】
本発明の実施の態様の他の一例としては、前記止着手段が前記スライドテープに塗布された粘着剤と前記スライドテープに取り付けられたフック部材とのいずれか一方である。
【００１３】
【発明の実施の形態】
添付の図面を参照し、本発明に係るパンツ型の使い捨ておむつの詳細を説明すると、以下のとおりである。
【００１４】
図１，２は、後胴周り域の側から示すおむつ１の部分破断斜視図と、テープファスナー１６の斜視図とであり、図３，４は、ガイドテープ１７とスライドテープ１８とを分離して示すそれらテープ１７，１８の斜視図と、図１のＩ−Ｉ線端面図とである。図１では、胴周り方向を矢印Ｘ、縦方向を矢印Ｙで示し、脚周り方向を矢印Ｚで示す。図２では、スライドテープ１８を縦方向上方へ引き延ばした状態を仮想線で示す。なお、表裏面シート２，３やガイドテープ１７、スライドテープ１８の内面とは、コア４に対向する面をいい、それらの外面とは、コア４に非対向の面をいう。
【００１５】
おむつ１は、肌当接側に位置する透液性表面シート２と、肌非当接側に位置する不透液性裏面シート３と、それらシート２，３の間に介在する吸液性コア４とから構成されている。おむつ１は、互いに対向する前胴周り域５および後胴周り域６と、それら胴周り域５，７の間に位置する股下域６とを有する。
【００１６】
おむつ１は、コア４の両端縁４ａの外側に位置して前後胴周り域５，７を胴周り方向へ延びる胴周り端部８と、コア４の両側縁４ｂの外側に位置して前後胴周り域５，７を縦方向へ延びる胴周り側部９と、コア４の両側縁４ｂの外側に位置して股下域６を脚周り方向へ延びる脚周り側部１０とを有する。
【００１７】
おむつ１では、胴周り側部９が合掌状に重なり合い、胴周り側部９が縦方向へ並ぶ多数の熱融着部１１を介して固着されている。おむつ１には、胴周り開口１２とその下方に一対の脚周り開口１３とが形成されている。おむつ１の胴周り端部８と胴周り側部９と脚周り側部１０とでは、表面シート２と裏面シート３とが重なり合い、それらシート２，３の内面どうしが固着されている。
【００１８】
胴周り端部８には、胴周り方向へ延びる複数条の胴周り用弾性部材１４が伸長状態で取り付けられている。胴周り端部８には、胴周り方向内方へ収縮した胴周り用弾性部材１４によって多数のギャザーが形成されている。脚周り側部１０には、脚周り方向へ延びる複数条の脚周り用弾性部材１５が伸長状態で取り付けられている。脚周り側部１０には、脚周り方向内方へ収縮した脚周り用弾性部材１５によって多数のギャザーが形成されている。胴周り用弾性部材１４と脚周り用弾性部材１５とは、表面シート２と裏面シート３との間に介在し、それらシート２，３の少なくとも一方の内面に固着されている。
【００１９】
コア４は、股下域６から前後胴周り域５，７へ向かって延びている。コア４は、表面シート２と裏面シート３との少なくとも一方の内面に接合されている。裏面シート３の外面には、おむつ１を丸めておくことが可能な可撓性のテープファスナー１６が取り付けられている。
【００２０】
テープファスナー１６は、おむつ１の胴周り方向中央部に位置し、股下域６と後胴周り域７との間を縦方向へ延びている。テープファスナー１６は、裏面シート３の外面を縦方向へ延びるガイドテープ１７と、ガイドテープ１７の外面を縦方向へ延びていて縦方向へ進退可能なスライドテープ１８とから形成されている。
【００２１】
ガイドテープ１７とスライドテープ１８とは、可撓性かつ非伸縮性のもので、縦方向へ長い矩形を呈する。ガイドテープ１７とスライドテープ１８とは、ポリオレフィン系やポリエステル系、ポリアミド系の熱可塑性合成樹脂から形成されたプラスチックフィルムを使用している。ガイドテープ１７とスライドテープ１８とには、プラスチックフィルムの他に、繊維不織布を使用することもできる。
【００２２】
ガイドテープ１７は、後胴周り域７に位置する上端部１７ａと、股下域６に位置する下端部１７ｃと、上下端部１７ａ，１７ｃの間に位置する中間部１７ｂとを有する。上下端部１７ａ，１７ｃは、ホットメルト型接着剤１９を介して裏面シート３の外面に固着されている。中間部１７ｂは、裏面シート３の外面に固着されていない。
【００２３】
スライドテープ１８は、ガイドテープ１７の上端部１７ａと中間部１７ｂとの間に延びる自由端部１８ａと、自由端部１８ａの下方に位置してガイドテープ１７の中間部１７ｂに摺動可能に取り付けられた繋止端部１８ｂと、繋止端部１８ｂの両側縁１８ｃから胴周り方向へ延びる側部１８ｄとを有する。
【００２４】
スライドテープ１８の自由端部１８ａには、粘着剤２０が塗布された粘着部位１８ｅと、粘着剤２０が塗布されていない摘持部位１８ｆとが形成されている。スライドテープ１８の自由端部１８ａは、粘着部位１８ｅを介してガイドテープ１７の中間部１７ｂの外面に剥離可能に仮着されている。
【００２５】
ガイドテープ１７の中間部１７ｂでは、スライドテープ１８の側部１８ｄがガイドテープ１７の内面の側へ向かって折曲され、側部１８ｄどうしがホットメルト型接着剤２１を介して固着されている。テープファスナー１６では、スライドテープ１８の繋止端部１８ｂと側部１８ｄとがガイドテープ１７の中間部１７ｂの内面と外面とを囲繞する環を形成している。
【００２６】
図５は、廃棄するために丸められたおむつ１の斜視図である。おむつ１を廃棄するときの手順を説明すると、以下のとおりである。おむつ１は、前胴周り域５を内側にした状態で股下域６から胴周り端部８へ向かって縦方向へ丸められる。胴周り端部８は、丸められたおむつ１の外周に位置する。
【００２７】
おむつ１を丸めた後は、スライドテープ１８の摘持部位１８ｆを指で摘み、スライドテープ１８をガイドテープ１７から剥がした後、スライドテープ１８を胴周り端部８へ向かって引っ張る。おむつ１では、スライドテープ１８がガイドテープ１７の中間部１７ｂを図２に矢印Ｓで示す縦方向上方へ向かって移動する。スライドテープ１８の繋止端部１８ｂは、図２に仮想線で示すように、ガイドテープ１７の中間部１７ｂにおいてガイドテープ１７の下端部１７ｃの側から上端部１７ａの側へ移動する。スライドテープ１８の自由端部１８ａは、胴周り端部８を縦方向へ越えて胴周り端部８の外側に位置する。おむつ１では、スライドテープ１８の自由端部１８ａを裏面シート３の外面に押し付け、粘着部位１８ｅに塗布された粘着剤２０を介してスライドテープ１８の自由端部１８ａを裏面シート３の外面に止着する。
【００２８】
おむつ１では、スライドテープ１８がガイドテープ１７の中間部１７ｂを縦方向へ進退可能であり、スライドテープ１８をガイドテープ１７の中間部１７ｂにおいて縦方向上方へ移動させるだけで、スライドテープ１８を縦方向へ簡単に延ばすことができる。おむつ１では、従来技術のそれと比較し、スライドテープが折り畳まれていないので、おむつ１の廃棄時にスライドテープ１８を折り返して縦方向へ直状に引き延ばす手間が要らず、スライドテープ１８の自由端部１８ａを裏面シート３の外面に止着することが容易である。
【００２９】
おむつ１では、スライドテープ１８によっておむつ１の丸められた状態が保持される。おむつ１では、スライドテープ１８が胴周り開口１２を跨いだ状態で裏面シート３に止着されているので、スライドテープ１８によって胴周り開口１２の口を閉じることができる。廃棄するために丸められたおむつ１では、胴周り開口１２が口を開けることはなく、排泄物や臭気が胴周り開口１２から漏れてしまうことがない。また、おむつ１では、脚周り側部１０がおむつ１とともに丸められているので、脚周り開口１３が口を開けることはなく、排泄物や臭気が脚周り開口１３から漏れてしまうこともない。
【００３０】
テープファスナー１６では、スライドテープ１８の自由端部１８ａが粘着剤２０を介してガイドテープ１７の外面に仮着されているので、おむつ１の着用時に、スライドテープ１８の自由端部１８ａが不用意に遊動することはない。
【００３１】
テープファスナー１６では、ガイドテープ１７の中間部１７ｂの縦方向の長さ寸法Ｌ１が３０〜１００ｍｍの範囲にあることが好ましく、スライドテープ１８の縦方向の長さ寸法Ｌ２が３０〜１００ｍｍの範囲にあることが好ましい（図３参照）。長さ寸法Ｌ１と長さ寸法Ｌ２とが３０ｍｍ未満では、テープファスナー１６を取り付ける位置にもよるが、スライドテープ１８をガイドテープ１７の中間部１７ｂにおいて下端部１７ｃの側から上端部１７ａの側へ移動させたとしても、スライドテープ１８の自由端部１８ａが胴周り端部８の外側に位置しない場合があり、スライドテープ１８によって胴周り開口１２の口を閉じることができない。ガイドテープ１７とスライドテープ１８の自由端部１８ａおよび繋止端部１８ｂとにおける胴周り方向の寸法Ｌ３は、５〜１０ｍｍの範囲にあることが好ましい。
【００３２】
図６，７は、他の実施の形態を示すテープファスナー１６の斜視図と、廃棄するために丸められたおむつ１の斜視図とである。図６では、スライドテープ１８を縦方向上方へ延ばした状態を仮想線で示す。図６のテープファスナー１６が図１のそれと異なる点は、以下のとおりである。テープファスナー１６では、それを形成するスライドテープ１８が縦方向と胴周り方向とのうちの少なくとも縦方向へ弾性伸縮性を有する。
【００３３】
おむつ１を廃棄する手順は、図１のそれと同様であるので、その説明は省略する。おむつ１では、その廃棄時に、スライドテープ１８の繋止端部１８ｂをガイドテープ１７の中間部１７ｂにおいて下端部１７ｃの側から上端部１７ａの側へ移動させた後、スライドテープ１８の自由端部１８ａを縦方向へ伸長させながら裏面シート３の外面に止着する。おむつ１では、スライドテープ１８の伸長応力を利用して丸められたおむつ１の外周を締め付けることができ、胴周り開口１２の口を確実に閉じることができる。
【００３４】
スライドテープ１８には、弾性伸縮性を有する繊維不織布、弾性伸縮性を有するプラスチックフィルムのいずれかを使用することができる。
【００３５】
伸縮性の繊維不織布としては、メルトブローンやスパンボンドの各製法により製造されたものを使用することができる。伸縮性の不織布の構成繊維には、熱可塑性エラストマー樹脂を溶融、紡糸した伸縮性繊維を使用することができる。また、熱可塑性エラストマー樹脂繊維からなる疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を貼り合わせた複合不織布を使用することもできる。
【００３６】
表面シート２には、親水性の繊維不織布、または、微細な多数の開孔を有するプラスチックフィルムを使用することができる。裏面シート３には、疎水性繊維不織布、通気不透液性のプラスチックフィルム、疎水性繊維不織布を重ね合わせた複合不織布、疎水性繊維不織布と通気不透液性のプラスチックフィルムとを重ね合わせた複合シートのいずれかを使用することができる。
【００３７】
裏面シート３には、高い耐水性を有するメルトブローン法による繊維不織布を、高い強度を有しかつ柔軟性に富んだスパンボンド法による繊維不織布で挟んだ複合不織布を使用することもできる。
【００３８】
表裏面シート２，３を形成する不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を使用することができる。
【００３９】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体がティッシュペーパーに被覆、接合されていることが好ましい。ポリマー粒子としては、デンプン系、セルロース系、合成ポリマー系のものを使用することができる。
【００４０】
裏面シート３が不織布で形成されている場合は、スライドテープ１８の自由端部１８ａの内面に粘着剤２０を塗布することの他に、自由端部１８ａの内面にメカニカルファスナのうちのフック部材を取り付けることもできる。フック部材が不織布を形成する繊維に引っ掛かることで、スライドテープ１８の自由端部１８ａを丸められたおむつ１の裏面シート３の外面に止着することができる。
【００４１】
おむつ１では、テープファスナー１６が股下域６と後胴周り域７との間を縦方向へ延びているが、テープファスナー１６がおむつ１の胴周り方向中央部に位置した状態で、股下域６と前胴周り域５との間を縦方向へ延びていてもよく、前胴周り域５と後胴周り域７とのいずれか一方を縦方向へ延びていてもよい。
【００４２】
表裏面シート２，３の固着、表裏面シート２，３に対するコア４の接合や弾性部材１４，１５の固着には、ホットメルト型接着剤、または、ヒートシールやソニックシール等の熱による溶着手段を利用することができる。
【００４３】
【発明の効果】
本発明に係るパンツ型の使い捨ておむつでは、テープファスナーがガイドテープとスライドテープとから形成され、スライドテープがガイドテープの中間部を縦方向へ進退可能であり、スライドテープをガイドテープの中間部において移動させるだけで、スライドテープを縦方向へ簡単に延ばすことができる。また、このおむつでは、従来技術のそれと比較し、スライドテープが折り畳まれていないので、おむつの廃棄時にスライドテープを折り返して縦方向へ直状に引き延ばす手間が要らず、スライドテープを丸められたおむつの外面に止着することが容易である。
【００４４】
スライドテープの上端部がガイドテープの外面に仮着されたおむつでは、スライドテープの上端部がおむつの外面において不用意に遊動することを防ぐことができる。
【図面の簡単な説明】
【図１】後胴周り域の側から示すおむつの部分破断斜視図。
【図２】テープファスナーの斜視図。
【図３】ガイドテープとスライドテープとを分離して示すそれらテープの斜視図。
【図４】図１のＩ−Ｉ線端面図。
【図５】廃棄するために丸められた図１のおむつの斜視図。
【図６】他の実施の形態を示すテープファスナーの斜視図。
【図７】廃棄するために丸められた図６のおむつの斜視図。
【符号の説明】
１            パンツ型の使い捨ておむつ
２            透液性表面シート
３            不透液性裏面シート
４            吸液性コア
５            前胴周り域
６            股下域
７            後胴周り域
８            胴周り端部（端部）
１２            胴周り開口
１３            脚周り開口
１６            テープファスナー
１７            ガイドテープ
１７ａ          上端部
１７ｂ          中間部
１７ｃ          下端部
１８            スライドテープ
１８ａ          自由端部
１８ｂ          繋止端部
１８ｃ          両側縁
１８ｄ          側部
２０            粘着剤（止着手段）
Ｌ１            長さ寸法
Ｌ２            長さ寸法
【図１】
0004456302.tif 000002
【図２】
0004456302.tif 000003
【図３】
0004456302.tif 000004
【図４】
0004456302.tif 000005
【図５】
0004456302.tif 000006
【図６】
0004456302.tif 000007
【図７】
0004456302.tif 000008